(57)【要約】  有機体から放出されるバイオハーモニック場を検出する装置及び方法。試験対象である有機体に低周波を放出するためのベースオシレータ、及び、試験対象である有機体から受信した電磁的信号を音響キャリアと統合するための調節オシレータを含む。
2008519275.tif 000002
【特許請求の範囲】
【請求項１】
低周波のベース信号を発生するためのベースオシレータ（３０）と；
振動場を放出するための及び有機体から放出された振動信号を受信するための振動結合手段（３４）と；
前記アンテナ（３４）から得られる調節信号が使用される調節インプット（３７）を有する、アウトプット音響信号（４０）を発生するための信号オシレータ（３８）と；
を含む、有機体から又は有機的支持的環境から放出される振動場、例えば電磁的、静電的又は機械的振動場、を検出するための装置。
【請求項２】
前記ベースオシレータ（３０）のアウトプットと前記振動連結手段（３４）とに連結され、統合されたアウトプット信号（３３）を提供するネットワーク（３２）をさらに含む、請求項１に記載の装置。
【請求項３】
前記ネットワーク（３２）が可変要素（６０）を含む、請求項１又は２に記載の装置。
【請求項４】
前記統合されたアウトプット信号（３３）を増幅するための増幅器（３６）を含み、そのアウトプットが前記調節インプット（３７）に送られる、請求項１から３の何れか一項に記載の装置。
【請求項５】
前記アウトプット音響信号（４０）をデジタル化及び分析するためのＡＤＣ（５０）及びコンピュータシステム（４８）をさらに含み、前記コンピュータシステムが前記アウトプット音響信号（４０）のＦＦＴを抽出するためにプログラムされた、請求項１から４の何れか一項に記載の装置。
【請求項６】
前記コンピュータシステムが、前記アウトプット音響信号（４０）に対してチェビシェフデジタルフィルタを適用するためにプログラムされた、請求項５に記載の装置。
【請求項７】
前記コンピュータシステム（４８）が前記ベースオシレータ（３０）又は前記信号オシレータ（３８）の運転パラメータを変更するために配置される、請求項５又は６に記載の装置。
【請求項８】
前記アウトプット音響信号を再生するためのスピーカ（４６）をさらに含む、請求項１から７の何れか一項に記載の装置。
【請求項９】
振動場を放出及び前記有機体から発せられる振動信号を受信するための複数の振動結合手段（３４１、３４２、３４３）を含む、請求項１から８の何れか一項に記載の装置。
【請求項１０】
前記振動結合手段（３４）が一つ以上のアンテナ又は電極である、請求項１から９の何れか一項に記載の装置。
【請求項１１】
所定の振動数及び波形を有する低周波のベース電気振動を提供する段階と；
一つの振動結合手段（３４）によって前記ベース振動を前記有機体に近接する空間に伝達する段階と；
前記振動結合手段（３４）によって有機体から放出された電磁場を受信して統合されたアウトプット信号（３３）を提供する段階と；
アウトプット音響信号（４０）を得るために、前記統合されたアウトプット信号（３３）を、所定の振動数及び波形を有するキャリア信号と統合する段階と、
前記アウトプット音響信号を分析する段階と、を含む、
前記有機体から放出された電磁場を検出及び分析する方法。
【請求項１２】
前記アウトプット音響信号が聴覚で分析される、請求項１から１１の何れか一項に記載の方法。
【請求項１３】
前記アウトプット音響信号がＦＦＴコンピュータプログラムによってデジタル化及び分析される、請求項１１に記載の方法。
【請求項１４】
前記ベース振動を前記振動結合手段（３４）に提供するネットワーク（３２）に含まれる可変要素（６０）を調整する段階をさらに含む、請求項１１から１３の何れか一項に記載の方法。
【請求項１５】
動物又は植物有機体の病理学上の状態を検出及び監視するために使用される、請求項１１から１４の何れか一項に記載の方法。
【請求項１６】
水中又は土壌中又は食品中又は飲料中の不純物を検出及び監視するために使用される、請求項１１から１４の何れか一項に記載の方法。
【請求項１７】
食品の品質の検出に使用される、請求項１１から１４の何れか一項に記載の方法。
【請求項１８】
前記ベース振動の伝達及び前記電磁場の受信のため幾つかのアンテナ（３４１、３４２、３４３）が提供され、
前記各アンテナ（３４１、３４２、３４３）において得られる統合された信号の各々が、前記振動結合手段（３４１、３４２、３４３）によって得られる幾つかの音響信号を生成するためにキャリア信号と統合され、
前記振動結合手段（３４１、３４２、３４３）によって得られる音響信号のスペクトル成分の強度を重み付けすることによって位置情報を抽出する段階を含む、請求項１１から１７の何れか一項に記載の方法。
【発明の詳細な説明】
【技術分野】
【０００１】
現在、生体物質が、バイオアクティブ場と呼ばれる、又はそれらの調和性（ｈａｒｍｏｎｉｃ  ｎａｔｕｒｅ）に関連してバイオハーモニック場と呼ばれることもある、特徴的な振動パターンを作り出すことは多くの科学分野において容易に受け入れられている。これらの場は、特徴的であって且つ生体物質の活性に関連する低振動数の電磁的、静電的及び機械的振動からなる。これらの場は、全ての生体物質を取り囲んでいて、周囲の環境及び他の生物学的種と相互作用する。それらは空間的にだけではなく、時間的にも拡張して、生物学的種の全寿命にわたって生物学的活動の全てを包むことから、それらは「ライフエンベロープ」と呼ばれてもよい。
【背景技術】
【０００２】
バイオアクティブ、バイオエナジェティック又はバイオハーモニックという用語は、ここでは生物学的存在、例えば生物によって作り出される、又は生物学的支持的環境、例えば水又は土壌又は一般的に生命を支えることができる環境によって作り出される高調波信号（ｈａｒｍｏｎｉｃ  ｓｉｇｎａｌ）を示す。高調波信号は、その逆数が等差級数である一連のオーバートーンを含む振動誘起信号に関する。
【０００３】
生物学的分野において、生体信号、バイオアクティブ場及びバイオエナジェティック又はバイオハーモニック場波の振動数は、超低周波、可聴周波数及び超音波帯域であり得る。生物有機体は多くの巨視的及び微視的機能及びプロセスの結果として、そのような低振動数の振動を作り出すと認識されている。
【０００４】
生涯において、生物有機体は幅広い電磁波との相互作用を経験する。それらのうち幾らかは有機体自身の生命過程（すなわち、誕生、成長、再生、病気）に関連し、その他は環境因子（すなわち、他の有機体、地電流、宇宙波）の結果又は人の活動（すなわち、無線放送、電気機器、マイクロ波）の結果であってよい。これら様々な波動の相互作用は、そのバイオアクティブ、バイオエナジェティック又はバイオハーモニック場においてだけではなく、生物有機体の物理的及び生物学的特性においても検出可能な効果を与える。
【０００５】
バイオアクティブ、バイオエナジェティック又はバイオハーモニック場は、生き物だけではなく、有機的支持的環境、特に水、土壌、鉱物及び有機分子等、生命を支持することができる材料にみられる。水は、特にこれまで接してきた物質であり生物学的に活性な物質であるという印象を持つことが出来る。以下で、「有機体」という用語は、従来の意味での生物と、生命を維持することができる物質との両方を意味するために使用され、これらは生体信号、バイオアクティブ、バイオエナジェティック又はバイオハーモニック場と反応する。
【発明の開示】
【課題を解決するための手段】
【０００６】
本発明の目的は、そのようなバイオアクティブ、バイオエナジェティック又はバイオハーモニック場を検出及び分析する装置及び方法を提供することである。そのような目的は、対応する分野において独立請求項に記載の装置及び方法によって達成される。
【発明を実施するための最良の形態】
【０００７】
図１−３に図式的に示された本発明の検出装置１６は、所望の特性を有する周期的な電気振動を発生することができるベース信号発生器３０を含む。ベース信号発生器は、バイオハーモニック信号が期待される振動数、本発明はこの範囲内の信号に制限されるものではないが典型的には０．０１Ｈｚから３００ｋＨｚの間の範囲内で周期的な波形を生成することが望ましい。波形はサイン波又は方形波、又は任意に何らかのスペクトル成分を有する周期的な波形であってよい。好ましくは、ベース信号発生器３０によって生成される信号の特性、例えば振幅、振動数及び波形は、デジタル制御インプット４２によって決定されてよい。しかしながら、この好ましい特徴は本発明を制限するものではなく、替わりにベース信号発生器は信号特性を変えるため手動の設定手段を含んでもよく、又はベース信号の特性の一部又は全てが固定されてもよい。
【０００８】
ベース信号発生器３０によって生成される信号は、端末３１に表れ、アンテナ又は電極３４及び増幅器３６入力部の双方に接続される接続ネットワーク３２に供給される。アンテナ又は電極３４は、低周波数の電磁的、静電的又は機械的振動信号を誘起するため、及び同時に伝播する場の変化を捕捉するため使用されるとき、伝達装置として及び受信装置として使用される。
【０００９】
機械的な振動、バイオアクティブ、バイオエナジェティック又はバイオハーモニック場の電気的及び／又は磁気的成分と結合する異なる種類のアンテナ又は電極、例えばワイヤ又はコイルアンテナ又は電極、又は、平板アンテナ又は電極が、本発明の枠組みの中で使用されてよい。アンテナ又は電極の性質及び寸法は、調査対象の有機体の特性に適合するものであってよい（すなわち、樹木を試験するため使用されるアンテナと細胞培養を分析するために使用されるアンテナ）。
【００１０】
必要に応じてアンテナ又は電極は適切な測定子又は結合手段で置き換えられてよい。例えば、バイオアクティブ、バイオエナジェティック又はバイオハーモニック場の電気的及び／又は磁気的成分と結合する振動変換器。
【００１１】
図１に例又は実施形態が示された接続ネットワークは、装置を興味の対象である特定の周波数帯に調節するため、共鳴調節コイル６２及び可変要素、例えば可変抵抗６０を備えてよい。図３の回路は、接続ネットワーク３２のほんの一実施形態を示し、可変キャパシタ及びインダクタを備えた他の多くのネットワークで置き換えられてよく、そのようなネットワークはここに列挙しきれない。
【００１２】
接続ネットワーク３２のアウトプット３３における結合信号は、そのレベルを適切な値に増幅するため増幅器３６によって処理され、信号オシレータ３８の調節インプットに導かれる。信号オシレータ３８は、調節インプット３７の信号によって振動数が調節される、アウトプット４０において例えば非制限的に０．０１Ｈｚから３００ｋＨｚの間の所定のキャリア振動を発生する高品質可変信号発生器、例えばＶＣＯ（電圧制御オシレータ）である。
【００１３】
ベースオシレータ３０に関して、状況に応じて、信号オシレータ３８の搬送振動数特性は固定されてよく、又は手動制御若しくは類似のもの若しくは示されていないデジタル制御端末によって設定可能である。
【００１４】
試験下の生物学的サンプルによって発せられた信号はアンテナ又は電極３４によって捕捉され、ネットワーク３２によってフィルタリングされる。制御電圧３７を与えることによって搬送波信号上に生成される変異は、アウトプット４０において使用できる信号の性質、スペクトル及び時間特性の偏差の原因となる。
【００１５】
コンピュータ分析システム内へのバイオアクティブ、バイオエナジェティック又はバイオハーモニック場受信器１６の包含について、図２を参照して議論する。
【００１６】
受信器１６のアウトプット４０はＡＤＣ（デジタルコンバータ類似物）のインプットに接続され、さらなる分析のためコンピュータシステム４８に移送される。同じコンピュータシステム４８が受信器１６の運転パラメータ、例えば振動数及びベースオシレータ３０の波形、及び信号オシレータ３８の運転パラメータ、及びネットワーク３２のチューニングを制御することが好ましい。加えて、直接耳で評価を行なうため、アウトプット信号４０はスピーカ４６に供給される。
【００１７】
デジタル化された信号はコンピュータシステム４８の固定記憶装置に記録され、後に再生されることが可能であり、又はコンピュータシステム４８上で動く適切なソフトウェアルーチンによって分析されることが可能であり、特に、チェビシェフデジタルフィルタリング及びＦＦＴ解析のアプリケーションによって十分な結果が得られる。
【００１８】
バイオアクティブ、バイオエナジェティック又はバイオハーモニック信号波面は、多くの重要なハーモニック又はエンハーモニック成分を含み、これらは生物学的な信号においてみられる優勢な振動に対応し、ある生物学的な、行動上の又は生化学的な性質又は測定される物質のプロセスに特有のものである。
【００１９】
バイオアクティブ信号の表現及び比較に関して便利な形式は、Ｘ軸が時間に、Ｙ軸が振動数に及び垂直なＺ軸が大きさに対応する３次元グラフである。図４はこの表現の例を示す。
【００２０】
ベースオシレータ信号のスペクトル要素に関連して、バイオアクティブ信号は二つの異なる特性を有し、信号は正又は負である。正の部分はバイオハーモニック場によって強度が高まるスペクトル成分に対応する（図５）。負の部分（図６）は、対照的に、バイオハーモニック場によって吸収される成分に対応する。
【００２１】
本発明の装置は、生物学的システム、例えば植物の病気の状態を検出及び監視するために通常使用されてよい。図７の３次元グラフは健康な植物サンプルから読み取られたバイオハーモニック信号を示すのに対して、図８は病気の植物サンプルから得られた対応するデータを示す。本発明の装置は、ウィルス性の、細菌性の、又は菌性の植物の病気に特有の特徴を拾うことができる。植物の健康状態における相違はスピーカ４６を通じて明確に認めることができる。
【００２２】
果物及び野菜の熟し具合及び糖含有量は、本発明の装置によって記録されるバイオハーモニック信号における相違から評価することができる。本発明は、植物有機体だけではなく、動物細胞サンプルの病理学上の状態の検出においても有効であることが証明された。
【００２３】
本発明の装置は、生命システム、水及び土壌中において生物学的に誘導された物質、例えばチンキ、植物抽出物、鉱物及び農薬等の毒物の検出も同様に可能にする。この性能の結果、本発明の装置は、生物学的に成長した食用農作物と集約的に成長した食用農作物の識別を可能にし、且つ、食品中、肉中、チーズ中及び飲料中の鉱物及び毒物の検出が可能である。従って、本発明の装置及び方法は、生物学的に成長した食用農産物と従来の農作物とを区別することができる。
【００２４】
ＧＭＯ（遺伝子組み換え有機体）も同様に、各バイオハーモニック場における差異によって通常のものと区別することができる。
【００２５】
本発明の装置の他の重要な用途は、例えば食品中、化粧品中、又は製薬工業、又は水処理設備中の水質の監視及び診断である。
【００２６】
バイオエナジェティック場の空間パターンを分析する能力を有する本発明の実施形態が記述される。
【００２７】
電磁的振動信号を発する及び受信するために単一の電磁的測定子が使用されてよく、前記信号は生物有機体又は生物学的実体から放射されるバイオエナジェティック場を代表するものであることは既にみてきた。しかしながら、この配置は振動源の位置を決定する以後何の情報も提供せず、このことは大きな、伸張した体（例えば、人体）において行なわれる測定の場合に重要である。
【００２８】
本発明の実施形態は、幾つかの振動源を含む用途、例えば果樹園における何本かの樹木のバイオアクティブ、バイオエナジェティック又はバイオハーモニックな状態の監視及び診断にも使用されてよい。
【００２９】
図９に示されるこの実施形態によると、検出器は幾つかの測定子、電極又はアンテナ、好ましくは検出モジュール５０に接続された少なくとも三つの測定子３４１、３４２、４３３を含む。測定子３４１、３４３は試験６０下の生物学的システムの周囲に配置されるのが好ましいが、他の空間的配置も可能である。
【００３０】
検出モジュール５０は、測定子３４１−３４３の各々を、生物学的システム６０を取り囲むバイオアクティブ、バイオエナジェティック又はバイオエナジェティックな電磁的、静電的又は機械的振動を評価及び検出するための放出及び受信電極アンテナとして使用するように配置される。これは前述の単一の測定子を有する装置と同様の方法である。しかしながら、モジュール５０は、バイオエナジェティック源６０に局在化した情報を、個々の測定子３４１−３４３各々により検出された振動信号の対応するスペクトル成分の信号強度を重み付けすることによって抽出するため配置される。この装置によって、振動源、例えば病気が進行した植物の一部分、の位置が決定され得る。
【００３１】
ここで示された三つの独立した測定子は、三つの独立した強度が平面状の点源の位置の決定を可能にするので、有効な妥協案を示す。しかしながら、この実施形態では、例えば非常に微細な空間的識別能が要求される場合等、必要に応じて任意に多数の測定子を使用することができる。
【００３２】
対照的に同じ方式が測定子を二つだけ有する系に適用されてよい。この場合、振動源の配置が特に簡単であるとき興味あるものだが、系は振動源の唯一つの空間座標の位置を決定することができる。
【図面の簡単な説明】
【００３３】
【図１】本発明による装置の概略図を表す。
【図２】マイクロプロセッサ制御デジタル収集システムを含む図１の装置の概略図を表す。
【図３】本発明による接続ネットワークの可能な実施形態を図式的に示す。
【図４】本発明の装置によって得られた３−Ｄスペクトルの例を示す。
【図５】前記３−Ｄスペクトルの正成分を表す。
【図６】前記３−Ｄスペクトルの負成分を表す。
【図７】健康な植物から得られたスペクトルを示す。
【図８】病気の植物から得られたスペクトルを示す。
【図９】本発明の他の実施形態を示す。
【符号の説明】
【００３４】
１６  検出装置
３０  ベース信号発生器
３２  接続ネットワーク
３３  アウトプット
３６  増幅器
３７  調節インプット
３８  信号オシレータ
４８  コンピュータシステム
５０  検出モジュール
３４１、３４２、３４３  測定子
【図１】
2008519275.tif 000003
【図２】
2008519275.tif 000004
【図３】
2008519275.tif 000005
【図４】
2008519275.tif 000006
【図５】
2008519275.tif 000007
【図６】
2008519275.tif 000008
【図７】
2008519275.tif 000009
【図８】
2008519275.tif 000010
【図９】
2008519275.tif 000011
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
低周波のベース信号を発生するためのベースオシレータと；
振動場を放出するための及び有機体から放出された振動信号を受信するための振動結合手段と；
前記アンテナから得られる調節信号が使用される調節インプットを有する、アウトプット音響信号を発生するための信号オシレータと；
を含む、前記有機体から又は有機的支持的環境から放出される振動場、例えば電磁的、静電的又は機械的振動場、を検出するための装置。
【請求項２】
前記ベースオシレータのアウトプットと前記振動連結手段とに連結され、統合されたアウトプット信号を提供するネットワークをさらに含む、請求項１に記載の装置。
【請求項３】
前記ネットワークが可変要素及び前記統合されたアウトプット信号を増幅するための増幅器を含み、そのアウトプットが前記調節インプットに送られる、請求項２に記載の装置。
【請求項４】
前記アウトプット音響信号をデジタル化及び分析するためのＡＤＣ及びコンピュータシステムをさらに含み、前記コンピュータシステムが前記アウトプット音響信号のＦＦＴを抽出するためにプログラムされた、請求項３に記載の装置。
【請求項５】
前記コンピュータシステムが、前記アウトプット音響信号に対してデジタルフィルタを適用するために、及び／又は前記ベースオシレータ若しくは前記信号オシレータの運転パラメータを変更するためにプログラムされた、請求項４に記載の装置。
【請求項６】
振動場を放出するための及び前記有機体から発せられる振動信号を受信するための、アンテナ又は電極等の複数の振動結合手段を含む、請求項１の装置。
【請求項７】
所定の振動数及び波形を有する低周波のベース電気振動を提供する段階と；
一つの振動結合手段によって前記ベース振動を有機体に近接する空間に伝達する段階と；
前記有機体から放出された電磁的、静電的又は機械的振動場を前記振動結合手段によって受信して統合されたアウトプット信号を提供する段階と；
アウトプット音響信号を得るために、前記統合されたアウトプット信号を、所定の振動数及び波形を有するキャリア信号と統合する段階と、
前記アウトプット音響信号を分析する段階と、を含む、
前記有機体から放出された電磁的、静電的又は機械的振動場を検出及び分析する方法。
【請求項８】
前記アウトプット音響信号が聴覚で分析される、請求項７に記載の方法。
【請求項９】
前記アウトプット音響信号がＦＦＴコンピュータプログラムによってデジタル化及び分析される、請求項７に記載の方法。
【請求項１０】
前記ベース振動を前記振動結合手段に提供するネットワークに含まれる可変要素を調整する段階をさらに含む、請求項７に記載の方法。
【請求項１１】
動物又は植物有機体の病理学上の状態；
水中又は土壌中又は食品中又は飲料中の不純物の存在；
食品の品質の変化；
の何れかの状態を検出するために使用される、請求項７に記載の方法。
【請求項１２】
前記ベース振動の伝達及び前記電磁場の受信のため幾つかのアンテナ又は電極が提供され、
前記各アンテナ又は電極において得られる統合された信号の各々が、前記振動結合手段によって得られる幾つかの音響信号を生成するためにキャリア信号と統合され、
前記振動結合手段によって得られる音響信号のスペクトル成分の強度を重み付けすることによって位置情報を抽出する段階を含む、請求項７に記載の方法。
【国際調査報告】
2008519275.tif 000012
2008519275.tif 000013
2008519275.tif 000014